(57)【要約】【課題】ユーザーの利便性を向上する。【解決手段】画像形成装置１００は、画像形成部１４と、筐体１０と、操作パネル４と、ロック構造５と、遮断部６とを備える。画像形成部１４は、用紙Ｐに画像を形成する。筐体１０は、画像形成部１４を収納する。操作パネル４は、筐体１０に対して第１方向Ｄ１に移動可能である。ロック構造５は、操作パネル４の移動を規制する。遮断部６は、画像形成部１４への電力の供給を遮断する。遮断部１４は、ロック構造５が操作パネル４の移動を規制している場合に、画像形成部１４への電力の供給を遮断する。【選択図】図２
2019188682.tif 000002
【特許請求の範囲】
【請求項１】
記録媒体に画像を形成する画像形成部と、
前記画像形成部を収納する筐体と、
前記筐体に対して前記筐体の少なくとも一方側に移動可能である操作パネルと、
前記操作パネルの移動を規制するロック構造と、
前記画像形成部への電力の供給を遮断する遮断部と
を備え、
前記遮断部は、前記ロック構造が前記操作パネルの移動を規制している場合に、前記画像形成部への電力の供給を遮断する、画像形成装置。
【請求項２】
前記操作パネルは、前記筐体に対して第１方向に移動可能であり、
前記ロック構造は、前記操作パネルの前記第１方向への移動を規制し、
前記遮断部は、前記操作パネルが前記筐体に対して前記第１方向に移動した場合に、前記画像形成部への電力の供給を可能にする、請求項１に記載の画像形成装置。
【請求項３】
前記ロック構造は、前記操作パネルに対して前記第１方向の反対側に配置され、
前記遮断部は、前記操作パネルに対して前記第１方向側に配置される、請求項２に記載の画像形成装置。
【請求項４】
前記操作パネルは、第１コネクターを備え、
前記遮断部は、第２コネクターを備え、
前記遮断部は、前記第１コネクターが前記第２コネクターに接続された場合に、前記画像形成部への電力の供給を可能にする、請求項２に記載の画像形成装置。
【請求項５】
前記ロック構造は、第１係合部材を備え、
前記操作パネルは、第２係合部材を備え、
前記ロック構造は、前記第１係合部材を前記第２係合部材と係合することによって、前記操作パネルの移動を規制する、請求項１から請求項４のいずれか１項に記載の画像形成装置。
【請求項６】
前記ロック構造は、付勢部材を更に備え、
前記付勢部材は、前記第１係合部材が前記第２係合部材と係合する方向に、前記第１係合部材を付勢する、請求項５に記載の画像形成装置。
【請求項７】
前記ロック構造は、押しボタンを更に備え、
前記押しボタンが押下された場合に、前記ロック構造は、前記第１係合部材と前記第２係合部材との係合を解除する、請求項５又は請求項６に記載の画像形成装置。
【発明の詳細な説明】
【技術分野】
【０００１】
本発明は、画像形成装置に関する。
【背景技術】
【０００２】
特許文献１に記載の画像形成装置は、操作パネルと、人検知制御部と、操作可動部とを備える。人検知制御部は、画像形成装置の周囲にいるユーザーを検出する。操作可動部は、操作パネルの向きを変更する。具体的には、人検知制御部によってユーザーが検知された方向に操作パネルの操作面を向けるように、操作可動部は、操作パネルの向きを変更する。
【先行技術文献】
【特許文献】
【０００３】
【特許文献１】特開２００６−１３５８４号公報
【発明の概要】
【発明が解決しようとする課題】
【０００４】
しかしながら、特許文献１に記載の画像形成装置では、ユーザーの意に反して主電源がオンすると、画像形成部に電力が供給される。例えば、画像形成装置を搬送中に振動によって主電源がオンされた場合には、ユーザーが画像形成装置のプラグをコンセントに差し込んだ時に、画像形成部に電力が供給される可能性がある。よって、ユーザーの意に反して画像形成部が動作する可能性がある。したがって、ユーザーの利便性が充分ではない可能性がある。
【０００５】
本発明は、上記課題に鑑みてなされたものであり、ユーザーの利便性を向上可能な画像形成装置を提供することを目的としている。
【課題を解決するための手段】
【０００６】
本発明に係る画像形成装置は、画像形成部と、筐体と、操作パネルと、ロック構造と、遮断部とを備える。前記画像形成部は、記録媒体に画像を形成する。前記筐体は、前記画像形成部を収納する。前記操作パネルは、前記筐体に対して前記筐体の少なくとも一方側に移動可能である。前記ロック構造は、前記操作パネルの移動を規制する。前記遮断部は、前記画像形成部への電力の供給を遮断する。前記遮断部は、前記ロック構造が前記操作パネルの移動を規制している場合に、前記画像形成部への電力の供給を遮断する。
【発明の効果】
【０００７】
本発明の画像形成装置によれば、ユーザーの利便性を向上できる。
【図面の簡単な説明】
【０００８】
【図１】本発明の実施形態に係る画像形成装置の構成の一例を示す図である。
【図２】本発明の実施形態に係る操作パネルとロック構造と遮断部との配置の一例を示す正面図である。（ａ）は、ロック構造が操作パネルの移動を規制している状態を示す図である。（ｂ）は、遮断部が電力の供給の遮断を解除した状態を示す図である。
【図３】本発明の実施形態に係るロック構造の構成の一例を示す底面図である。（ａ）は、ロック構造が操作パネルの移動を規制している状態を示す底面図である。（ｂ）は、ロック構造による操作パネルの移動の規制が解除された状態を示す底面図である。
【図４】本発明の実施形態に係るロック構造の構成の一例を示す断面図である。（ａ）は、ロック構造が操作パネルの移動を規制している状態を示すＩＶＡ−ＩＶＡ断面図である。（ｂ）は、ロック構造による操作パネルの移動の規制が解除された状態を示すＩＶＢ−ＩＶＢ断面図である。
【図５】本発明の実施形態に係る遮断部の構成の一例を示す正面図である。（ａ）は、遮断部が電力の供給を遮断する状態を示す正面図である。（ｂ）は、遮断部が電力の供給の遮断を解除した状態を示す正面図である。
【図６】商用電源から画像形成部に電力を供給する構成の一例を示す図である。
【発明を実施するための形態】
【０００９】
以下、本発明の実施形態について、図面（図１〜図６）を参照しながら説明する。なお、図中、同一又は相当部分については同一の参照符号を付して説明を繰り返さない。
【００１０】
まず、図１を参照して、本発明の実施形態に係る画像形成装置１００の構成について説明する。図１は、画像形成装置１００の構成の一例を示す図である。画像形成装置１００は、カラー複合機である。
【００１１】
図１に示すように、画像形成装置１００は、画像形成ユニット１、画像読取ユニット２、原稿搬送ユニット３、操作パネル４及び筐体１０を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作パネル４は、ユーザーの操作を受け付ける。
【００１２】
図１には、互いに直交するＸ軸、Ｙ軸及びＺ軸を記載している。Ｘ軸及びＹ軸は、水平面と平行である。Ｚ軸は、鉛直方向と平行である。以下の説明において、Ｙ軸の正方向側を背面側といい、Ｙ軸の負方向側を前面側という場合がある。
【００１３】
画像形成ユニット１は、給送部１２、搬送部Ｌ、トナー供給部１３、画像形成部１４、定着部１６及び排出部１７を備える。画像形成部１４は、転写部１５を含む。筐体１０は、給送部１２、搬送部Ｌ、トナー供給部１３、画像形成部１４、定着部１６及び排出部１７を収納する。
【００１４】
給送部１２は、用紙Ｐを搬送部Ｌへ供給する。搬送部Ｌは、用紙Ｐを転写部１５及び定着部１６を経由して排出部１７まで搬送する。
【００１５】
トナー供給部１３には、トナーコンテナが装着される。トナーコンテナは、画像形成部１４にトナーを供給する。画像形成部１４は、用紙Ｐに画像を形成する。
【００１６】
転写部１５は、中間転写ベルト１５４を備える。画像形成部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００１７】
定着部１６は、用紙Ｐを加熱及び加圧し、用紙Ｐに形成された画像を用紙Ｐに定着する。排出部１７は、用紙Ｐを画像形成装置１００の外部へ排出する。
【００１８】
次に、図１及び図２を参照して、本発明の実施形態に係る操作パネル４とロック構造５と遮断部６との配置について説明する。図２は、操作パネル４とロック構造５と遮断部６との配置の一例を示す正面図である。図２（ａ）は、ロック構造５が操作パネル４の移動を規制している状態を示す図である。図２（ｂ）は、遮断部６が電力の供給の遮断を解除した状態を示す図である。
【００１９】
図２（ａ）及び図２（ｂ）に示すように、ロック構造５は、操作パネル４の左側に配置される。換言すれば、ロック構造５は、操作パネル４に対してＸ軸の負方向側に配置される。ロック構造５は、図１に示す筐体１０に固定される。遮断部６は、操作パネル４の右側に配置される。換言すれば、遮断部６は、操作パネル４に対してＸ軸の正方向側に配置される。すなわち、ロック構造５と遮断部６との間に操作パネル４が配置される。遮断部６は、図１に示す筐体１０に固定される。
【００２０】
図２（ａ）に示すように、操作パネル４は、第１方向Ｄ１に移動可能である。第１方向Ｄ１は、Ｘ軸の正方向を示す。ロック構造５は、操作パネル４に対して第１方向Ｄ１の反対側に配置される。遮断部６は、操作パネル４に対して第１方向Ｄ１側に配置される。
【００２１】
ロック構造５は、操作パネル４の第１方向Ｄ１への移動を規制する。図２（ｂ）に示すように、操作パネル４は、第２係合部材４２を備える。ロック構造５は、ロック構造本体５０と、押しボタン５１と、第１係合部材５５とを備える。
【００２２】
ロック構造本体５０は、矩形平板状に形成される。押しボタン５１は、ロック構造本体５０の左下端に配置される。換言すれば、押しボタン５１は、ロック構造本体５０のＸ軸の負方向側の端部で、且つロック構造本体５０のＺ軸の負方向側の端部に配置される。
【００２３】
押しボタン５１は、ロック構造５による操作パネル４の移動の規制を解除する場合に、ユーザーによって押下される。ユーザーは、押しボタン５１をＹ軸の正方向に向けて押下する。
【００２４】
第１係合部材５５は、ロック構造本体５０の右側に突出して配置される。第１係合部材５５は、第２係合部材４２と係合する。第１係合部材５５が第２係合部材４２と係合することによって、操作パネル４の移動が規制される。換言すれば、ロック構造５は、第１係合部材５５を第２係合部材４２と係合することによって、操作パネル４の移動を規制する。なお、ロック構造５の構成について、後述にて図３及び図４を参照して詳細に説明する。
【００２５】
第２係合部材４２は、操作パネル４の左側端部に突出して配置される。第２係合部材４２は、第１係合部材５５と係合する。
【００２６】
図２（ａ）に示すように、操作パネル４は、第１コネクター４１を更に備える。遮断部６は、第２コネクター６１を備える。遮断部６は、図１に示す画像形成部１４への電力の供給を遮断する。
【００２７】
第１コネクター４１は、操作パネル４の右側に突出して配置される。第２コネクター６１は、遮断部６の左側に突出して配置される。ロック構造５が操作パネル４の第１方向Ｄ１への移動を規制している状態では、第１コネクター４１と第２コネクター６１とは、互いに離間している。すなわち、遮断部６は、図１に示す画像形成部１４への電力の供給を遮断している。
【００２８】
図２（ｂ）に示すように、操作パネル４が、図１に示す筐体１０に対して第１方向Ｄ１に移動された場合には、第１コネクター４１と第２コネクター６１とが接続される。そして、遮断部６は、図１に示す画像形成部１４への電力の供給の遮断を解除する。すなわち、遮断部６は、画像形成部１４への電力の供給を可能にする。第１コネクター４１と第２コネクター６１とは、例えば「ドロワーコネクター」である。
【００２９】
以上、図１及び図２を参照して説明したように、ロック構造５が操作パネル４の移動を規制している場合に、遮断部６が画像形成部１４への電力の供給を遮断する。よって、メインスイッチが誤ってオンされた場合であっても、画像形成部１４への電力の供給を遮断できる。したがって、ユーザーの利便性を向上できる。
【００３０】
また、ロック構造５は、操作パネル４の第１方向Ｄ１への移動を規制し、遮断部６は、操作パネル４が筐体１０に対して第１方向Ｄ１に移動した場合に、画像形成部１４への電力の供給を可能にする。よって、簡素な構成で、画像形成部１４への電力の供給を可能にできる。したがって、ユーザーの利便性を更に向上できる。
【００３１】
また、ロック構造５は、操作パネル４に対して第１方向Ｄ１の反対側に配置され、遮断部６は、操作パネル４に対して第１方向Ｄ１側に配置される。したがって、ロック構造５、操作パネル４及び遮断部６をコンパクトに配置できる。
【００３２】
また、操作パネル４は、第１コネクター４１を備え、遮断部６は、第２コネクター６１を備える。そして、遮断部６は、第１コネクター４１が第２コネクター６１に接続された場合に、画像形成部１４への電力の供給を可能にする。したがって、簡素な構成で画像形成部１４への電力の供給を可能にできる。
【００３３】
また、ロック構造５は、第１係合部材５５を備え、操作パネル４は、第２係合部材４２を備える。そして、ロック構造５は、第１係合部材５５を第２係合部材４２と係合することによって、操作パネル４の移動を規制する。したがって、簡素な構成で操作パネル４の移動を規制できる。
【００３４】
なお、本発明の実施形態では、第１方向Ｄ１がＸ軸の正方向であるが、本発明はこれに限定されない。第１方向Ｄ１は、任意の方向でよい。例えば、第１方向Ｄ１は、Ｙ軸の正方向でもよい。また、例えば第１方向Ｄ１は、Ｚ軸の正方向でもよい。この場合には、重力を受けて操作パネル４は、第１方向Ｄ１と反対側に付勢される。したがって、例えロック構造５が操作パネル４の移動を規制しない場合であっても、画像形成部１４への電力の供給を遮断できる。
【００３５】
次に、図２〜図４を参照して、本発明の実施形態に係るロック構造５の構成について説明する。図３は、ロック構造５の構成の一例を示す底面図である。図３（ａ）は、ロック構造５が操作パネル４の移動を規制している状態を示す底面図である。図３（ｂ）は、ロック構造５による操作パネル４の移動の規制が解除された状態を示す底面図である。図４は、ロック構造５の構成の一例を示す断面図である。
【００３６】
図３（ａ）及び図３（ｂ）に示すように、ロック構造５は、第１移動部材５２、第２移動部材５３、板状部材５４、第２凸部５６、規制部材５７及びバネ５８を更に備える。第１移動部材５２は、押しボタン５１が押下された場合に、第２方向Ｄ２に移動する。第２方向Ｄ２は、板状部材５４から押しボタン５１に向かう方向を示す。第１移動部材５２は、第１凸部５２１を有する。第１凸部５２１は、第１移動部材５２において押しボタン５１から離間する側の端部に配置される。第１凸部５２１は、第１移動部材５２と一体に形成される。また、第１凸部５２１は、第１移動部材５２に立設して形成される。具体的には、第１凸部５２１は、第１移動部材５２からＹ軸の正方向に突出して形成される。
【００３７】
第２移動部材５３は、第１移動部材５２が第２方向Ｄ２に移動した場合に、第３方向Ｄ３に移動する。第３方向Ｄ３は、Ｚ軸の負方向を示す。第３方向Ｄ３は、図３では、下向きである。第２移動部材５３は、第１係合部材５５と一体に形成される。よって、第２移動部材５３が第３方向Ｄ３に移動する場合には、第１係合部材５５と第２係合部材４２との係合が外れる。
【００３８】
板状部材５４は、第２移動部材５３と一体に形成される。板状部材５４は、第１移動部材５２が第２方向Ｄ２に移動した場合に、第２移動部材５３を第３方向Ｄ３に移動する。板状部材５４は、第１長孔５４１と、第２長孔５４２とを有する。第１長孔５４１は、斜め上方向に延びる。すなわち、第１長孔５４１は、Ｘ軸の正方向側で且つＺ軸の負方向側から、Ｘ軸の負方向側で且つＺ軸の正方向側に向けて延びる。換言すれば、Ｘ−Ｚ平面において、Ｘ軸の負方向と４５度をなす方向に延びる。第１長孔５４１には、第１凸部５２１が挿通される。すなわち、第１凸部５２１の移動方向は、第１長孔５４１の延びる方向に制限される。図３（ａ）に示すように、ロック構造５が操作パネル４の移動を規制している状態では、第１凸部５２１は、第１長孔５４１の左下端に位置している。
【００３９】
第２長孔５４２は、上下方向に延びる。すなわち、第２長孔５４２は、Ｚ軸方向に沿って延びる。第２長孔５４２には、第２凸部５６が挿通される。第２凸部５６は、ロック構造本体５０に立設される。すなわち、第２凸部５６は、ロック構造本体５０と一体に形成される。また、第２凸部５６は、ロック構造本体５０からＹ軸の正方向に突出して形成される。
【００４０】
規制部材５７は、第１移動部材５２の移動方向を規制する。具体的には、規制部材５７は、第１移動部材５２が第２方向Ｄ２に沿って移動するように第１移動部材５２をガイドする。すなわち、規制部材５７によって、第１移動部材５２の移動方向は、第２方向Ｄ２又は第２方向Ｄ２の反対方向に規制される。
【００４１】
バネ５８は、第２移動部材５３を上向きに付勢する。すなわち、バネ５８は、第１係合部材５５が第２係合部材４２と係合する方向に、第１係合部材５５を付勢する。バネ５８は、「付勢部材」の一例に相当する。
【００４２】
次に、ロック構造５の動作について説明する。押しボタン５１が押下され、第１移動部材５２が第２方向Ｄ２に移動した場合には、第１凸部５２１は第１移動部材５２と一体に移動する。そこで、図３（ｂ）に示すように、第１凸部５２１は、第１長孔５４１の左下端から第１長孔５４１の右上端に移動する。第１凸部５２１が第１長孔５４１の左下端から第１長孔５４１の右上端に移動することについて、図４（ａ）及び図４（ｂ）を参照して説明する。
【００４３】
図４（ａ）は、ロック構造５が操作パネル４の移動を規制している状態を示すＩＶＡ−ＩＶＡ断面図である。図４（ｂ）は、ロック構造５による操作パネル４の移動の規制が解除された状態を示すＩＶＢ−ＩＶＢ断面図である。
【００４４】
図４（ａ）及び図４（ｂ）に示すように、第１移動部材５２は、押しボタン５１が押下された場合に、第２方向Ｄ２に移動する。第２方向Ｄ２は、図４では右向きを示す。第１移動部材５２が第２方向Ｄ２に移動すると、第１凸部５２１と第２凸部５６との間の距離が広がる。具体的には、第１凸部５２１に対して第２凸部５６が第２方向Ｄ２に移動する。
【００４５】
その結果、図３（ｂ）に示すように、第１凸部５２１は、第１長孔５４１を介して板状部材５４を第３方向Ｄ３に移動させる。第３方向Ｄ３は、下向きを示す。換言すれば、第３方向Ｄ３は、Ｚ軸の負方向を示す。そして、板状部材５４と第２移動部材５３と第１係合部材５５とが一体として第３方向Ｄ３に移動する。その結果、第１係合部材５５と第２係合部材４２との係合が外れる。
【００４６】
また、押しボタン５１に対して外部から押下する力が作用しなくなった場合には、バネ５８によって第２移動部材５３が上向きに移動される。そして、板状部材５４と第２移動部材５３と第１係合部材５５とが一体として第３方向Ｄ３の反対方向に移動する。その結果、第１係合部材５５と第２係合部材４２とが係合する。
【００４７】
また、板状部材５４が上向きに移動すると、第１凸部５２１は、第１長孔５４１の右上端から第１長孔５４１の左下端に移動する。そして、図３（ａ）に示すように、第１移動部材５２は、第２方向Ｄ２と反対方向に移動する。
【００４８】
以上、図２〜図４を参照して説明したように、バネ５８が、第１係合部材５５と第２係合部材４２とが係合する方向（第３方向Ｄ３の反対方向）に、第１係合部材５５を付勢する。よって、第１係合部材５５と第２係合部材４２とを係合した状態が維持される。したがって、画像形成装置１００に振動が付与される場合であっても、第１係合部材５５と第２係合部材４２との係合が外れることを抑制できる。
【００４９】
また、押しボタン５１が押下された場合に、ロック構造５は、第１係合部材５５と第２係合部材４２との係合を解除する。したがって、簡素な構成で操作パネル４の移動の規制を解除できる。
【００５０】
なお、本発明の実施形態では、押しボタン５１が押下された場合に、第１係合部材５５と第２係合部材４２との係合を解除するが、本発明はこれに限定されない。ロック構造５が、第１係合部材５５と第２係合部材４２との係合を解除可能に構成されていればよい。例えば、ロック構造５が、第１係合部材５５を第３方向Ｄ３に移動させるスライド部材を備えてもよい。この場合には、簡素な構成で、第１係合部材５５と第２係合部材４２との係合を解除できる。
【００５１】
次に、図２、図５及び図６を参照して、本発明の実施形態に係る遮断部６の構成について更に説明する。図５は、遮断部６の構成の一例を示す正面図である。図５（ａ）は、遮断部６が電力の供給を遮断する状態を示す正面図である。図５（ｂ）は、遮断部６が電力の供給の遮断を解除した状態を示す正面図である。
【００５２】
図５（ａ）に示すように、操作パネル４は第１コネクター４１を備え、遮断部６は第２コネクター６１を備える。第１コネクター４１は、第２コネクター６１から離間しているため、遮断部６は、図１に示す画像形成部１４への電力の供給を遮断する。操作パネル４が、第１方向Ｄ１に移動された場合には、図５（ｂ）に示すように、第１コネクター４１と第２コネクター６１とが接続される。その結果、遮断部６は、画像形成部１４への電力の供給を可能にする。
【００５３】
図６は、商用電源ＰＳから画像形成部１４に電力を供給する構成の一例を示す図である。図６に示すように、画像形成装置１００は、メインスイッチ１９と、電源制御部１８とを更に備える。
【００５４】
メインスイッチ１９は、商用電源ＰＳから電源制御部１８への電力の供給をオンオフする。メインスイッチ１９は、第１端子ＴＭ１と第２端子ＴＭ２とを有する。第１端子ＴＭ１は、商用電源ＰＳに接続される。第２端子ＴＭ２は、第１コネクター４１に接続される。第２コネクター６１は、電源制御部１８に接続される。電源制御部１８は、商用電源ＰＳに接続される。
【００５５】
電源制御部１８は、商用電源ＰＳから供給される交流電圧ＶＡを、直流電圧ＶＤに変換する。電源制御部１８は、直流電圧ＶＤを画像形成部１４に供給する。
【００５６】
メインスイッチ１９がオンになっている場合であっても、第１コネクター４１と第２コネクター６１とが接続されていない場合には、商用電源ＰＳから電源制御部１８に電力が供給されない。したがって、電源制御部１８から画像形成部１４に電力は供給されない。
【００５７】
以上、図２、図５及び図６を参照して説明したように、本発明の実施形態では、第１コネクター４１が第２コネクター６１から離間している場合には、遮断部６が画像形成部１４への電力の供給を遮断する。よって、メインスイッチ１９が誤ってオンされた場合であっても、画像形成部１４への電力の供給を遮断できる。したがって、ユーザーの利便性を向上できる。
【００５８】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００５９】
（１）図１及び図２を参照して説明したように、本発明の実施形態では、画像形成装置１００がカラー複合機であるが、本発明はこれに限定されない。画像形成装置が用紙Ｐに画像を形成すればよい。画像形成装置が、例えば、カラープリンターでもよい。また、画像形成装置が、例えば、モノクロ複写機でもよい。
【００６０】
（２）図１及び図３を参照して説明したように、本発明の実施形態では、ロック構造５と遮断部６との間に操作パネル４が配置されているが、本発明はこれに限定されない。画像形成装置１００が操作パネル４とロック構造５と遮断部６とを備えればよい。
【産業上の利用可能性】
【００６１】
本発明は、画像形成装置の分野に利用可能である。
【符号の説明】
【００６２】
１００    画像形成装置
１    画像形成ユニット
１０    筐体
１４    画像形成部
１８    電源制御部
１９    メインスイッチ
ＴＭ１    第１端子
ＴＭ２    第２端子
２    画像読取ユニット
３    原稿搬送ユニット
４    操作パネル
４１    第１コネクター
４２    第２係合部材
５    ロック構造
５０    ロック構造本体
５１    押しボタン
５２    第１移動部材
５２１    第１凸部
５３    第２移動部材
５４    板状部材
５４１    第１長孔
５４２    第２長孔
５５    第１係合部材
５６    第２凸部
５７    規制部材
５８    バネ（付勢部材）
６    遮断部
６１    第２コネクター
Ｄ１    第１方向
Ｄ２    第２方向
Ｄ３    第３方向
ＰＳ    商用電源
【図１】
2019188682.tif 000003
【図２】
2019188682.tif 000004
【図３】
2019188682.tif 000005
【図４】
2019188682.tif 000006
【図５】
2019188682.tif 000007
【図６】
2019188682.tif 000008